(57)【特許請求の範囲】
【請求項１】
演算増幅器の出力端子と反転入力端子との間を帰還抵抗で接続され、前記反転入力端子に第１の抵抗の一端が接続され、前記第１の抵抗の他端に所定電位が印加されて構成されており、前記演算増幅器の非反転入力端子に供給されるライン音声信号を非反転増幅する非反転増幅回路と、
前記演算増幅器の反転入力端子にスイッチを介して接続された定電流回路とを有し、
前記スイッチを所定周波数のビープ音信号でオン／オフすることにより、前記演算増幅器の出力端子から出力される増幅されたライン音声信号にビープ音信号を重畳することを特徴とするビープ音重畳回路。
【請求項２】
演算増幅器の出力端子と反転入力端子との間を帰還抵抗としての３端子可変抵抗で接続され、前記反転入力端子に第１の抵抗の一端が接続され、前記第１の抵抗の他端に所定電位が印加されて構成されており、前記演算増幅器の非反転入力端子に供給されるライン音声信号を非反転増幅する非反転増幅回路と、
前記３端子可変抵抗の可動接点にスイッチを介して接続された定電流回路とを有し、
前記スイッチを所定周波数のビープ音信号でオン／オフすることにより、前記演算増幅器の出力端子から出力される増幅されたライン音声信号にビープ音信号を重畳することを特徴とするビープ音重畳回路。
【発明の詳細な説明】
【０００１】
【発明の属する技術分野】
本発明はビープ音重畳回路に関し、ライン音声信号にビープ音信号を重畳するビープ音重畳回路に関する。
【０００２】
【従来の技術】
音楽用ミニディスク（ＭＤ）を再生する携帯用のミニディスク再生装置では、各曲の曲間や操作ボタンの操作を指示するためにビープ音信号を発生し、このビープ音信号をミニディスクから再生したライン音声信号に重畳して発音することが行われている。
【０００３】
図４は従来のビープ音重畳回路の一例の回路図を示す。同図中、端子１０にはミニディスクから再生したライン音声信号が供給され、演算増幅器１２の非反転入力端子に供給される。演算増幅器１２は反転入力端子に接続された抵抗Ｒ１，Ｒ２と共に非反転増幅回路を構成しており、供給されるライン音声信号を増幅して出力端子１６より出力する。
【０００４】
端子１８にはミニディスク再生装置のマイクロコンピュータから所定周波数の矩形波であるビープ音信号が供給され、このビープ音信号はバッファアンプ２０で所望のレベルとされて出力端子１６に供給され、ライン音声信号に重畳されて出力される。
【０００５】
【発明が解決しようとする課題】
従来のビープ音重畳回路では、入力音信号をライン音声信号に重畳するためにバッファアンプ２０を必要とし、電子部品又は素子の点数が多くなり、そのためにコストが高くなるというという問題があった。
本発明は、上記の点に鑑みなされたもので、ビープ音信号用のバッファアンプを不要にして、電子部品又は素子の点数を削減でき、コストを低く抑えることのできるビープ音重畳回路を提供することを目的とする。
【０００６】
【課題を解決するための手段】
請求項１に記載の発明は、演算増幅器の出力端子と反転入力端子との間を帰還抵抗で接続され、前記反転入力端子に第１の抵抗の一端が接続され、前記第１の抵抗の他端に所定電位が印加されて構成されており、前記演算増幅器の非反転入力端子に供給されるライン音声信号を非反転増幅する非反転増幅回路と、
前記演算増幅器の反転入力端子にスイッチを介して接続された定電流回路とを有し、
前記スイッチを所定周波数のビープ音信号でオン／オフすることにより、前記演算増幅器の出力端子から出力される増幅されたライン音声信号にビープ音信号を重畳する。
【０００７】
このように、ライン音声信号を非反転増幅する演算増幅器の反転入力端子にスイッチを介して定電流回路を接続し、スイッチをビープ音信号でオン／オフすることにより、ライン音声信号にビープ音信号を重畳するため、ビープ音信号用のバッファアンプを不要にすることができ、電子部品又は素子の点数を削減でき、コストを低く抑えることができる。
【０００８】
請求項２に記載の発明は、演算増幅器の出力端子と反転入力端子との間を帰還抵抗としての３端子可変抵抗で接続され、前記反転入力端子に第１の抵抗の一端が接続され、前記第１の抵抗の他端に所定電位が印加されて構成されており、前記演算増幅器の非反転入力端子に供給されるライン音声信号を非反転増幅する非反転増幅回路と、
前記３端子可変抵抗の可動接点にスイッチを介して接続された定電流回路とを有し、
前記スイッチを所定周波数のビープ音信号でオン／オフすることにより、前記演算増幅器の出力端子から出力される増幅されたライン音声信号にビープ音信号を重畳することにより、３端子可変抵抗の可動接点を調整することでビープ音信号のレベルを可変調整することが可能となる。
【０００９】
【発明の実施の形態】
図１は本発明のビープ音重畳回路の第１実施例の回路図を示す。
同図中、端子３０にはミニディスクから再生したライン音声信号が供給される。演算増幅器３２の非反転入力端子には抵抗Ｒ１０の一端が接続され、その他端には所定電位が印加されている。
【００１０】
演算増幅器３２の反転入力端子には抵抗Ｒ１１の一端が接続され、その他端には所定電位が印加されている。また、演算増幅器３２の出力端子と反転入力端子との間は帰還抵抗としての抵抗Ｒ１２によって接続されて非反転増幅回路を構成しており、端子３０から供給されるライン音声信号が増幅されて出力端子３４より出力される。
【００１１】
更に、演算増幅器３２の反転入力端子にはスイッチＳＷ１の一端が接続され、スイッチＳＷ１の他端には定電流源３６の一端が接続され、定電流源３６の他端は接地されている。スイッチＳＷ１の制御端子には端子３８を介して、ミニディスク再生装置のマイクロコンピュータから所定周波数の矩形波であるビープ音信号が供給される。
【００１２】
ここで、上記ミニディスク再生装置のマイクロコンピュータから供給されるビープ音信号がローレベルのときは、スイッチＳＷ１はオフして端子３４における信号レベルに変化はない。ビープ音信号がハイレベルのときは、スイッチＳＷ１はオンして定電流源３６の電流が抵抗Ｒ１２を流れ端子３４における信号レベルが所定電位だけ低下する。つまり、ビープ音信号がライン音声信号に重畳されて端子３４から出力される。
【００１３】
なお、端子３８にビープ音信号が供給されなければ、スイッチＳＷ１はオフして端子３４における信号レベルに変化はない。
図２はスイッチＳＷ１及び定電流源３６の一実施例の回路図を示す。同図中、端子４０にはミニディスク再生装置のマイクロコンピュータから所定周波数の矩形波であるビープ音信号が入来し、抵抗Ｒ２０を通してｎｐｎトランジスタＴＲ１のベースに供給される。また、ｎｐｎトランジスタＴＲ１のベースは抵抗Ｒ２１を介して接地されている。ｎｐｎトランジスタＴＲ１はエミッタを接地され、コレクタをｐｎｐトランジスタＴＲ２のコレクタに接続されている。
【００１４】
ｐｎｐトランジスタＴＲ２はエミッタを電源ＶＣＣに接続され、ベースをそのコレクタに接続されると共に、ｐｎｐトランジスタＴＲ３のベースに接続されており、カレントミラー回路を構成している。ｐｎｐトランジスタＴＲ３はエミッタを電源ＶＣＣに接続され、コレクタをｎｐｎトランジスタＴＲ４のコレクタに接続されている。
【００１５】
ｎｐｎトランジスタＴＲ４はエミッタを接地され、ベースをそのコレクタに接続されると共に、ｎｐｎトランジスタＴＲ５のベースに接続されており、カレントミラー回路を構成している。ｎｐｎトランジスタＴＲ５はエミッタを接地され、コレクタを端子４１を介して図１の演算増幅器３２の反転入力端子に接続されている。
【００１６】
これにより、ビープ音信号がローレベルのときは、ｎｐｎトランジスタＴＲ１がオフして各トランジスタＴＲ２〜ＴＲ５がオフするためｎｐｎトランジスタＴＲ５はコレクタ電流（定電流）を流さない。ビープ音信号がハイレベルのときは、ｎｐｎトランジスタＴＲ１がオンして各トランジスタＴＲ２〜ＴＲ５がオンするためｎｐｎトランジスタＴＲ５はコレクタ電流（定電流）を流す。
【００１７】
なお、スイッチＳＷ１及び定電流源３６は、抵抗Ｒ２０，Ｒ２１、ｎｐｎトランジスタＴＲ１だけで構成することも可能である。この場合は、ｎｐｎトランジスタＴＲ１のコレクタを端子４１とする。
図３は本発明のビープ音重畳回路の第２実施例の回路図を示す。図３において、図１と同一部分には同一符号を付す。
【００１８】
図３において、端子３０にはミニディスクから再生したライン音声信号が供給される。演算増幅器３２の非反転入力端子には抵抗Ｒ１０の一端が接続され、その他端には所定電位が印加されている。
演算増幅器３２の反転入力端子には抵抗Ｒ１１の一端が接続され、その他端には所定電位が印加されている。また、演算増幅器３２の出力端子と反転入力端子との間は帰還抵抗としての３端子可変抵抗ＶＲ１２によって接続されて非反転増幅回路を構成しており、端子３０から供給されるライン音声信号が増幅されて、出力端子３４より出力される。
【００１９】
更に、３端子可変抵抗ＶＲ１２の可動接点にはスイッチＳＷ１の一端が接続され、スイッチＳＷ１の他端には定電流源３６の一端が接続され、定電流源３６の他端は接地されている。スイッチＳＷ１の制御端子には端子３８を介して、ミニディスク再生装置のマイクロコンピュータから所定周波数の矩形波であるビープ音信号が供給される。
【００２０】
ここで、上記ミニディスク再生装置のマイクロコンピュータから供給されるビープ音信号がローレベルのときは、スイッチＳＷ１はオフして端子３４における信号レベルに変化はない。ビープ音信号がハイレベルのときは、スイッチＳＷ１はオンして定電流源３６の電流が３端子可変抵抗ＶＲ１２を流れ端子３４における信号レベルが所定電位だけ低下する。つまり、ビープ音信号がライン音声信号に重畳されて端子３４から出力される。
【００２１】
上記第１，第２の実施例ではビープ音信号用のバッファアンプを不要にでき、このビープ音重畳回路をディスクリート回路で構成する場合は、その電子部品の点数を削減でき、また、このビープ音重畳回路を半導体集積回路で構成する場合は、その素子数を削減できる。
また、第２実施例では３端子可変抵抗ＶＲ１２の可動接点を調整することにより、定電流源３６の電流が３端子可変抵抗ＶＲ１２を流れることにより生じる電圧降下を可変でき、重畳されるビープ音信号のレベル調整が可能となる。なお、定電流源３６として抵抗を使用しても良い。
【００２２】
【発明の効果】
上述の如く、請求項１に記載の発明によれば、ビープ音信号用のバッファアンプを不要にすることができ、電子部品又は素子の点数を削減でき、コストを低く抑えることができる。
【００２３】
また、請求項２に記載の発明によれば、３端子可変抵抗の可動接点を調整することでビープ音信号のレベルを可変調整することが可能となる。
【図面の簡単な説明】
【図１】本発明のビープ音重畳回路の第１実施例の回路図である。
【図２】スイッチ及び定電流源の一実施例の回路図である。
【図３】本発明のビープ音重畳回路の第２実施例の回路図である。
【図４】従来のビープ音重畳回路の一例の回路図である。
【符号の説明】
３２  演算増幅器
３６  定電流源
ＳＷ１  スイッチ
ＶＲ１２  ３端子可変抵抗
Ｒ１０〜Ｒ２１  抵抗
ＴＲ１，ＴＲ４，ＴＲ５  ｎｐｎトランジスタ
ＴＲ２，ＴＲ３  ｐｎｐトランジスタ
【図１】
0004016467.tif 000002
【図２】
0004016467.tif 000003
【図３】
0004016467.tif 000004
【図４】
0004016467.tif 000005